(57)【要約】本発明は、セキュリティエレメント（１）を形成する方法、セキュリティエレメント（１）、少なくとも１つのセキュリティエレメント（１）を有するセキュリティ文書（２）、及び少なくとも１つのセキュリティエレメント（１）を有する転写フィルム（９０）に関する。本発明において、三次元オブジェクトが記録される。さらに、関数Ｆ（ｘ，ｙ）により表される三次元オブジェクトの表面プロファイル（３７）が決定される。ここで、関数Ｆ（ｘ，ｙ）は、表面プロファイル（３７）と、座標点ｘ，ｙにおける座標軸ｘ，ｙに亘る二次元基準面（３２）との間の距離を表す。さらに、第１の微細構造（４４）が決定される。第１の微細構造の決定は、第１の微細構造体（４４）の構造高さ（４３，５３）が、表面プロファイル（３７）と、二次元基準面との間の最大距離（３１）よりも小さい所定の値に制限されるように行われる。さらに、第１の微細構造の決定は、第１の微細構造体（４４）が、関数Ｆ（ｘ，ｙ）により表される三次元オブジェクトの表面プロファイル（３７）に対応する第１の光学的知覚を観察者にもたらすように行われる。さらに、第１の微細構造（４４）が、特に、リソグラフィー法によりセキュリティエレメント（１）の層に導入される。この第１の微細構造の導入は、セキュリティエレメント（１）の層の第１の微細構造（４４）が第１の光学的知覚を観察者にもたらすように行われる。
2018504634.tif 000002
【特許請求の範囲】
【請求項１】
セキュリティエレメント（１）を形成する方法であって、
ａ）三次元オブジェクト（２１）を記録するステップと、
ｂ）関数Ｆ（ｘ，ｙ）により表される前記三次元オブジェクトの表面プロファイル（３７）を決定するステップであって、前記関数Ｆ（ｘ，ｙ）は、前記表面プロファイル（３７）と、座標点ｘ，ｙにおける座標軸ｘ，ｙに亘る二次元基準面（３２）との間の距離を表す、表面プロファイル（３７）を決定するステップと、
ｃ）第１の微細構造（４４）を決定するステップであって、前記第１の微細構造体（４４）の構造高さを、前記表面プロファイル（３７）と前記二次元基準面（３２）との間の最大距離（３１）よりも小さい所定の値に制限し、かつ前記第１の微細構造体（４４）が、前記関数Ｆ（ｘ，ｙ）により表される前記三次元オブジェクトの前記表面プロファイル（３７）に対応する第１の光学的知覚を観察者に提供するように、第１の微細構造（４４）を決定するステップと、
ｄ）前記第１の微細構造（４４）を前記セキュリティエレメント（１）の層に導入するステップであって、前記第１の微細構造（４４）の導入は、前記セキュリティエレメント（１）の前記層における前記第１の微細構造（４４）が前記第１の光学的知覚を前記観察者に提供するように、特に、リソグラフィー法により行われる、ステップと、
を含む、ことを特徴とするセキュリティエレメント（１）を形成する方法。
【請求項２】
前記三次元オブジェクトを記録するステップａ）は、仮想三次元オブジェクトの生成、並びに／又は、記録装置、特にコンタクトプロフィルメータ及び／若しくはレーザスキャナを用いた現実の三次元オブジェクトの記録を含む、ことを特徴とする請求項１に記載の方法。
【請求項３】
前記記録装置の空間分解能は、前記関数Ｆ（ｘ，ｙ）により表される前記三次元オブジェクトの前記表面プロファイル（３７）の示す最小構造の少なくとも１．５倍、好ましくは２倍、さらに好ましくは２．５倍に対応する、ことを特徴とする請求項２に記載の方法。
【請求項４】
バイナリ表面レリーフ（５０）、多階段状表面レリーフ及び／又は連続的表面レリーフ（４０）を有する微細構造は、前記ステップｃ）において第１の微細構造（４４）として決定される、ことを特徴とする請求項１〜３のいずれかに記載の方法。
【請求項５】
前記第１の微細構造（４４）の前記構造高さ（５３）は、バイナリ表面レリーフ（５０）の形成のため前記第１の微細構造（４４）の表面全体に亘って実質的に一定となるように選択され、
前記第１の微細構造の前記バイナリ表面レリーフ（５０）の格子バー（５１）の幅及び／又は格子溝（５２）の幅は、前記観察者に前記第１の光学的知覚を提供するように選択される、ことを特徴とする請求項１〜４のいずれかに記載の方法。
【請求項６】
連続的表面レリーフの形成のため、前記第１の微細構造は、第１の微細構造の前記連続的表面レリーフ（４０）の格子溝の一方の側面（４１）が、各々の場合において、互いに平行をなし、かつ前記二次元基準面（３２）に直交する面に実質的に平行をなすように設計されるとともに、前記第１の微細構造は、前記格子溝の他方の側面（４２）が、各々の場合に、少なくとも所定の領域において、前記関数Ｆ（ｘ，ｙ）により表される前記三次元オブジェクトの前記表面プロファイル（３７）と平行をなすように設計され、
前記第１の微細構造の前記連続的表面レリーフの形成のため、前記第１の微細構造（４４）は、当該第１の微細構造の構造高さ（４３）の所定値を法とする関数Ｆ（ｘ，ｙ）により表される表面プロファイル（３７）の結果と等しくなるように設計される、ことを特徴とする請求項１〜５のいずれかに記載の方法。
【請求項７】
少なくとも所定の領域において、前記関数Ｆ（ｘ，ｙ）により表される前記三次元オブジェクトの前記表面プロファイル（３７）と平行をなす前記格子溝の他方の側面（４２）は、各々の場合において、階段に近似しており、この階段に近似した高さが前記二次元基準面（３２）の所定の座標点ｘと座標点ｙとの間において一定であり、かつ前記連続的表面レリーフ（４０）を有する前記第１の微細構造の座標点ｘ及び座標点ｙの各々における値に対応するように、前記他方の側面が階段に近似している、ことを特徴とする請求項６に記載の方法。
【請求項８】
前記ステップｄ）において、前記第１の微細構造（４４）の前記セキュリティエレメント（１）の層への導入は、電子ビームリソグラフィー及び／又はフォトリソグラフィーにより行われる、ことを特徴とする請求項１〜７のいずれかに記載の方法。
【請求項９】
特に請求項１１〜３３のいずれかに記載されたセキュリティエレメント（１）を形成する方法であって、
一つ又は複数の第１の区域（８１）において、第１の微細構造は、特にリソグラフィー法により形成され、
前記第１の微細構造は、第１のオブジェクト（８２）の空間的知覚に対応する第１の光学的知覚を観察者に提供するように成形され、
一つ又は複数の第２の区域（８０）において、第２の微細構造は、特に見当合わせされた露光により形成され、
前記第２の微細構造は、前記第１のオブジェクト（８２）の多色表現に対応する第２の光学的知覚を前記観察者に提供するように成形され、
前記第１の微細構造及び前記第２の微細構造は、前記第１のオブジェクト（８２）の前記第１の光学的知覚及び前記第１のオブジェクト（８２）の前記第２の光学的知覚が、同時に前記観察者に知覚されるように形成される、ことを特徴とする方法。
【請求項１０】
セキュリティ文書（２）、特に紙幣、身分証明書、ビザ、証券又はクレジットカードをマーキングするためのセキュリティエレメント（１）であって、
前記セキュリティエレメント（１）の層は、第１の微細構造（４４）を有し、
前記第１の微細構造体（４４）の構造高さ（４３，５３）が、関数Ｆ（ｘ，ｙ）により表される三次元オブジェクトの表面プロファイル（３７）と、座標軸ｘ，ｙに亘る二次元基準面（３２）と、の間の最大距離（３１）よりも小さい所定の値に制限されるように、前記第１の微細構造（４４）が成形され、
前記関数Ｆ（ｘ，ｙ）は、前記表面プロファイル（３７）と、座標点ｘ，ｙにおける前記二次元基準面（３２）との間の距離を表し、
前記第１の微細構造（４４）は、前記関数Ｆ（ｘ，ｙ）により表される三次元オブジェクトの前記表面プロファイル（３７）に対応する第１の光学的知覚を観察者に提供する、ことを特徴とするセキュリティエレメント（１）。
【請求項１１】
セキュリティエレメント（１）であって、
前記セキュリティエレメント（１）は、一つ又は複数の第１の区域（８１）において、第１の微細構造を有し、
前記第１の微細構造は、第１のオブジェクト（８２）の空間的知覚に対応する第１の光学的知覚を観察者に提供するように成形され、
前記セキュリティエレメント（１）は、一つ又は複数の第２の区域（８０）において、第２の微細構造を有し、
前記第２の微細構造は、前記第１のオブジェクト（８２）の多色表現に対応する第２の光学的知覚を前記観察者に提供するように成形され、
前記第１のオブジェクト（８２）の前記第１の光学的知覚及び前記第１のオブジェクト（８２）の前記第２の光学的知覚は同時に前記観察者に知覚される、ことを特徴とするセキュリティエレメント（１）。
【請求項１２】
前記第１の微細構造（４４）は、前記セキュリティエレメント（１）の層に成形され、この第１の微細構造（４４）の成形は、前記第１の微細構造体（４４）の構造高さ（４３，５３）が、関数Ｆ（ｘ，ｙ）により表される三次元オブジェクトの表面プロファイル（３７）と、座標軸ｘ，ｙに亘る二次元基準面（３２）と、の間の最大距離（３１）よりも小さい所定の値に制限されるように行われ、
前記関数Ｆ（ｘ，ｙ）は、前記表面プロファイル（３７）と、座標点ｘ，ｙにおける前記二次元基準面（３２）との間の距離を表し、
前記第１の微細構造（４４）により前記観察者に提供される前記第１の光学的知覚は、前記関数Ｆ（ｘ，ｙ）により表される前記三次元オブジェクトの前記表面プロファイル（３７）に対応する、ことを特徴とする請求項１１に記載のセキュリティエレメント（１）。
【請求項１３】
前記第１の微細構造（４４）は、バイナリ表面レリーフ（５０）、多階段状表面レリーフ又は連続的表面レリーフ（４０）を有する、ことを特徴とする請求項１０〜１２のいずれかに記載のセキュリティエレメント（１）。
【請求項１４】
パラメータである、前記第１の微細構造（４４）の格子深さ、方位角又は格子周期の少なくとも１つが、所定の変動範囲内で擬似ランダムに変化する、ことを特徴とする請求項１０〜１３のいずれかに記載のセキュリティエレメント（１）。
【請求項１５】
前記第１の微細構造（４４）の最大格子深さと、前記第１の微細構造（４４）の最小格子深さとの間の差は、０．１μｍ〜１０μｍ、好ましくは０．２５μｍ〜２．５μｍであり、
前記格子深さは、前記最大格子深さと、前記最小格子深さとの間において擬似ランダムに変化する、ことを特徴とする請求項１４に記載のセキュリティエレメント（１）。
【請求項１６】
前記第１の微細構造（４４）を含むセキュリティエレメントの層は、反射層、特に、金属層、及び／又はＨＲＩ層若しくはＬＲＩ層を含む、ことを特徴とする請求項１０，１２〜１５のいずれかに記載のセキュリティエレメント（１）。
【請求項１７】
前記関数Ｆ（ｘ，ｙ）により表される前記表面プロファイル（３７）は、一つ又は複数の英数字、幾何学的図形、肖像画、及び／又は他のオブジェクト若しくはモチーフを含む、ことを特徴とする請求項１０，１２〜１６のいずれかに記載のセキュリティエレメント（１）。
【請求項１８】
前記関数Ｆ（ｘ，ｙ）は、所定の複数の領域では連続的であり、他の所定の複数の領域では微分可能な関数である、ことを特徴とする請求項１０，１２〜１７のいずれかに記載のセキュリティエレメント（１）。
【請求項１９】
前記関数Ｆ（ｘ，ｙ）により表される前記表面プロファイル（３７）が入射光（３５）を偏向させる方向と同一の方向へと、前記第１の微細構造（４４）が入射光（３５）を偏向させるように、前記第１の微細構造（４４）が成形される、ことを特徴とする請求項１０，１２〜１８のいずれかに記載のセキュリティエレメント（１）。
【請求項２０】
前記第１のオブジェクト（８２）の多色表現は、色空間、特にＲＧＢ色空間の少なくとも２つの異なる原色を含む、ことを特徴とする請求項１１〜１９のいずれかに記載のセキュリティエレメント（１）。
【請求項２１】
前記異なる原色は、人間の目に見える波長の範囲、特に、３８０ｎｍ〜７８０ｎｍの波長範囲にある、ことを特徴とする請求項２０に記載のセキュリティエレメント（１）。
【請求項２２】
前記第２の微細構造は、実際の色彩を有するホログラム、及び／又はキネグラム（登録商標）である、ことを特徴とする請求項１１〜２１のいずれかに記載のセキュリティエレメント（１）。
【請求項２３】
前記一つ又は複数の第１の区域（８１）及び一つ又は複数の第２の区域（８０）は、グリッドに従って配置されている、ことを特徴とする請求項１１〜２２のいずれかに記載のセキュリティエレメント（１）。
【請求項２４】
前記一つ又は複数の第１の区域（８１）及び１つ又は複数の第２の区域（８０）は、互いに格子状に配置されている、ことを特徴とする請求項２２に記載のセキュリティエレメント（１）。
【請求項２５】
各々の場合において、前記一つ又は複数の第１の区域（８１）の第１の区域は、前記一つ又は複数の第２の区域（８０）の第２の区域に隣接して配置され、
前記一つ又は複数の第１の区域（８１）は、前記一つ又は複数の第２の区域（８０）と交互に配置されている、ことを特徴とする請求項２３に記載のセキュリティエレメント（１）。
【請求項２６】
グリッド幅は、人間の裸眼の解像度の限界より小さく、特に、前記グリッド幅は、３００μｍよりも小さく、好ましくは、２００μｍよりも小さい、ことを特徴とする請求項２３〜２５のいずれかに記載のセキュリティエレメント（１）。
【請求項２７】
前記グリッドは、前記ｘ軸又は前記ｙ軸に亘る一次元グリッド、特に、ライングリッドである、ことを特徴とする請求項２３〜２６のいずれかに記載のセキュリティエレメント（１）。
【請求項２８】
前記一次元グリッドは、蛇行曲線状又は波線状に形成される、ことを特徴とする請求項２７に記載のセキュリティエレメント（１）。
【請求項２９】
前記一次元グリッドのグリッド幅は、特に所定の変動範囲内において、前記ｘ軸の方向又は前記ｙ軸の方向に変化する、ことを特徴とする請求項２７又は２８に記載のセキュリティエレメント（１）。
【請求項３０】
前記グリッドは、前記ｘ軸及び前記ｙ軸、特にドットグリッドに亘る二次元グリッドである、ことを特徴とする請求項２３〜２６のいずれかに記載のセキュリティエレメント（１）。
【請求項３１】
前記グリッドは周期的グリッドである、ことを特徴とする請求項３０に記載のセキュリティエレメント（１）。
【請求項３２】
前記グリッドは非周期的グリッドであり、特に、前記グリッド幅が所定の変動範囲内で変動する、ことを特徴とする請求項３０に記載のセキュリティエレメント（１）。
【請求項３３】
前記一つ又は複数の第１の区域（８１）及び前記一つ又は複数の第２の区域（８０）からなる総表面積における前記一つ又は複数の第１の区域（８１）の割合は、１０％〜９０％、好ましくは、３０％〜７０％、さらに好ましくは、４５％〜５５％である、ことを特徴とする請求項１１〜３２のいずれかに記載のセキュリティエレメント（１）。
【請求項３４】
請求項１０〜３３のいずれかに記載の少なくとも１つのセキュリティエレメント（１）を有するセキュリティ文書（２）であって、特に紙幣、身分証明書、ビザ、証券又はクレジットカードであるセキュリティ文書（２）。
【請求項３５】
請求項１０〜３３のいずれかに記載の少なくとも１つのセキュリティエレメント（１）を有する転写フィルム（９０）であって、
前記少なくとも１つのセキュリティエレメント（１）は、前記転写フィルム（９０）のキャリアフィルム（９１）に対して取り外し可能に配置される、ことを特徴とする転写フィルム（９０）。
【請求項３６】
請求項１０〜３３のいずれかに記載の少なくとも１つのセキュリティエレメント（１）を有する積層フィルムであって、
前記少なくとも１つのセキュリティエレメント（１）は、前記積層フィルムに組み込まれる、ことを特徴とする積層フィルム。
【発明の詳細な説明】
【技術分野】
【０００１】
本発明は、セキュリティエレメントを形成する方法、セキュリティエレメント、少なくとも１つのセキュリティエレメントを有するセキュリティ文書、少なくとも１つのセキュリティエレメントを有する転写フィルム及び少なくとも１つのセキュリティエレメントを有する積層フィルムに関する。
【背景技術】
【０００２】
光学活性化されたセキュリティエレメントは、特に、紙幣、パスポート、身分証明書、小切手、クレジットカード、ビザ、証明書などのセキュリティ文書に情報を付加するとともに、装飾を付与するために使用される。この種のセキュリティエレメントは、例えば、現代のカラー複写機及び他の複製システムを用いた偽造に対する保護を強化する一方、専門家でなくとも容易かつ明確に認識することができる。これにより、専門家でない者であっても、この種のセキュリティエレメントを有するセキュリティ文書の真正性を判定することができ、偽造や不正を認識することができる。
【発明の概要】
【発明が解決しようとする課題】
【０００３】
上記目的のため、セキュリティエレメントは、例えば、ホログラムなどの光屈曲性の回折構造を有する。専門家でない者にとって特に印象的であり、したがって、記憶に残る光学的効果は、特に、例えば透過ホログラムにより生成される空間的効果を有する表示によって観察者にもたらされる。しかし、この種のホログラムは、ホログラムにより生成されるオブジェクトの空間的表現が照明条件に大きく依存するという問題を有する。このため、ホログラムは、例えば、主に拡散した昼光など、特に理想的でない照明条件下で輝度が不十分なものとなる。したがって、オブジェクトを鮮明に三次元で表示するために、この種のホログラムを、例えば、レーザポインタのような単色点光源で照射しなければならない。さらに、この種のホログラムは、対応する層における複製に必要なマスター（原版）の製造に際し比較的高い設備コストを必要とする。また、一般的に、特定の色彩効果又は色知覚を付加的に実現することによって、光学的に可変のセキュリティエレメントの魅力が向上する可能性はない。
【０００４】
本発明の目的は、光学的に可変のセキュリティエレメントにより三次元的効果を有する光学的な外観を向上させる光学的に可変のセキュリティエレメントを形成する方法及び光学的に可変のセキュリティエレメントを提供することである。
【課題を解決するための手段】
【０００５】
上記目的は、以下のステップを有する、セキュリティエレメントを形成する方法によって達成される。前記方法は、ａ）三次元オブジェクトを記録するステップと、ｂ）関数Ｆ（ｘ，ｙ）により表される前記三次元オブジェクトの表面プロファイルを決定するステップであって、前記関数Ｆ（ｘ，ｙ）は、前記表面プロファイルと、座標点ｘ，ｙにおける座標軸ｘ，ｙに亘る二次元基準面との間の距離を表す、表面プロファイルを決定するステップと、ｃ）第１の微細構造を決定するステップであって、前記第１の微細構造体の構造高さを、前記表面プロファイルと前記二次元基準面との間の最大距離よりも小さい所定の値に制限し、かつ前記第１の微細構造体が、前記関数Ｆ（ｘ，ｙ）により表される前記三次元オブジェクトの前記表面プロファイルに対応する第１の光学的知覚を観察者に提供するように、第１の微細構造を決定するステップと、ｄ）前記第１の微細構造を前記セキュリティエレメントの層に導入するステップであって、前記第１の微細構造の導入は、前記セキュリティエレメントの前記層における前記第１の微細構造が前記第１の光学的知覚を前記観察者に提供するように、特に、リソグラフィー法により行われる、ステップと、を含む。さらに、上記目的は、特に、請求項１１〜３３のいずれか一項に記載のセキュリティエレメントを形成する方法により達成される。当該方法では、一つ又は複数の第１の区域において、第１の微細構造は、特にリソグラフィー法により形成される。前記第１の微細構造は、第１のオブジェクトの空間的知覚に対応する第１の光学的知覚を観察者に提供するように成形される。一つ又は複数の第２の区域において、第２の微細構造は、特に見当（位置）合わせされた露光により形成される。前記第２の微細構造は、第１のオブジェクトの多色表現（多色表示）に対応する第２の光学的知覚を前記観察者に提供するように成形される。前記第１の微細構造及び前記第２の微細構造は、前記第１のオブジェクトの前記第１の光学的知覚及び前記第１のオブジェクトの前記第２の光学的知覚が、同時に前記観察者に知覚されるように形成される。また、上記目的は、セキュリティ文書、特に紙幣（銀行券）、身分証明書、ビザ、証券又はクレジットカードをマーキングするためのセキュリティエレメントによって達成される。前記セキュリティエレメントの層は、第１の微細構造を有する。前記第１の微細構造体の構造高さが、関数Ｆ（ｘ，ｙ）により表される三次元オブジェクトの表面プロファイルと、座標軸ｘ，ｙに亘る二次元基準面と、の間の最大距離よりも小さい所定の値に制限されるように、前記第１の微細構造が成形される。前記関数Ｆ（ｘ，ｙ）は、前記表面プロファイルと、座標点ｘ，ｙにおける前記二次元基準面との間の距離を表す。前記第１の微細構造は、前記関数Ｆ（ｘ，ｙ）により表される三次元オブジェクトの前記表面プロファイルに対応する第１の光学的知覚を観察者に提供する。さらに、上記目的は、セキュリティエレメントによって達成される。このセキュリティエレメントは、一つ又は複数の第１の区域において、第１の微細構造を有し、前記第１の微細構造は、第１のオブジェクトの空間的知覚に対応する第１の光学的知覚を観察者に提供するように成形され、前記セキュリティエレメントは、一つ又は複数の第２の区域において、第２の微細構造を有する。前記第２の微細構造は、前記第１のオブジェクトの多色表現に対応する第２の光学的知覚を前記観察者に提供するように成形される。前記第１のオブジェクトの前記第１の光学的知覚及び前記第１のオブジェクトの前記第２の光学的知覚は同時に前記観察者に知覚される。さらに、上記目的は、請求項１０〜３３のいずれかに記載の少なくとも１つのセキュリティエレメントを有する、特に紙幣、身分証明書、ビザ、証券又はクレジットカードであるセキュリティ文書により達成される。また、上記目的は、請求項１０〜３３のいずれかに記載の少なくとも１つのセキュリティエレメントを有する転写フィルムによって達成される。当該転写フィルムにおいて、前記少なくとも１つのセキュリティエレメントは、前記転写フィルムのキャリアフィルムに対して取り外し可能に配置される。さらに、上記目的は、請求項１０〜３３のいずれかに記載の少なくとも１つのセキュリティエレメントを有する積層フィルム（ラミネートフィルム）により達成される。当該積層フィルムにおいて、前記少なくとも１つのセキュリティエレメントは、前記積層フィルムに組み込まれる。
【０００６】
本発明によれば、この種の方法により形成されたセキュリティエレメントは、特に高い費用効率で形成され、大規模な工業プロセスを用いて形成される。さらに、この種のセキュリティエレメントは、人間である観察者にとって、最新の技術に基づき上記の方法を使用して実現し得る光学的に可変の効果と異なる光学的に可変の効果の生成を可能にする。したがって、関数Ｆ（ｘ，ｙ）により表される表面プロファイルが観察者に対して三次元に映るように、光学的に可変の効果がこの種のセキュリティエレメントにより形成される。特に、関数Ｆ（ｘ，ｙ）により表される表面プロファイルは、膨出しかつ／又は後退しているかのように、例えば、ドーム状の表面が実際に存在しているかのように、二次元基準面上に現れる。したがって、膨出面及び／又は後退面として観察者により知覚され得る関数Ｆ（ｘ，ｙ）により表される表面プロファイルが、第１の微細構造によりもたらされる。したがって、三次元に映る肖像画、物品、モチーフ又は他のオブジェクトを再生（再現）することができる。したがって、特に特徴的な光学的効果を実現することができる。これにより、この種のセキュリティエレメントが記憶に残り易くなるとともに、セキュリティエレメントの偽造に対する保護を大幅に向上させることができる。さらに、この種のセキュリティエレメントによる光学的に可変の効果は、ホログラフィーにより形成された構造による効果と比較して、より鮮明に認識され得る。これは、この種の微細構造を高精度に形成することができるためである。さらに、本発明による方法により、三次元の光学的印象、すなわち、ドーム状、特に、平坦でない光学的印象を観察者に与える平坦なセキュリティエレメントを形成することができる。この種のセキュリティエレメントは、第１のオブジェクトの空間的な三次元的知覚と、第１のオブジェクトの多色表現と、を含む視覚的に結合された光学的印象を、観察者に同時に与えることができるため有益である。非常に記憶に残り易く、かつ特に自然な効果を有する光学的効果が実現するため、記憶し易さ及び認識率が向上するとともに、（特に専門家でない者を対象とした）偽造に対する保護が向上する。
【０００７】
関数Ｆ（ｘ，ｙ）により表される三次元オブジェクトの表面プロファイルに対応する、観察者による知覚に関し、関数Ｆ（ｘ，ｙ）により表される三次元オブジェクトの表面プロファイルが、あたかも膨出しかつ／又は後退しているかのように、すなわち、三次元のドーム状の表面が実際に存在しているかのように、二次元基準面に現れる。したがって、関数Ｆ（ｘ，ｙ）により表される三次元オブジェクトの表面プロファイルが、第１の微細構造により、膨出面及び／又は後退面として観察者により知覚され得る。したがって、例えば、対応するレンズ状のデザインの場合、回折光学的に活性な第１の微細構造は、拡大効果、縮小効果、及び／又は歪み効果を生じさせることができる。同様に、第１のオブジェクトの空間的知覚の場合、第１のオブジェクトの表面は、対応するドーム状の表面が存在するかのように、観察者により認識される。
【０００８】
関数Ｆ（ｘ，ｙ）により表される三次元オブジェクトの表面プロファイルと、座標点ｘ，ｙにおける座標軸ｘ，ｙに亘る二次元基準面との間の距離は、座標点ｘ，ｙにおける関数Ｆ（ｘ，ｙ）により表される三次元オブジェクトの表面プロファイルと、同じ座標点ｘ，ｙにおける二次元基準面との間の差であって、座標軸ｘ，ｙに亘る基準面に対する垂直面（又は垂線）に沿った差である。したがって、前記距離は、座標軸ｘ，ｙに亘る基準面に対する垂直面に対応したｚ軸に沿って決定される。
【０００９】
二次元基準面とは、本明細書では、平坦な基準面、及び／又は湾曲した基準面を意味する。したがって、二次元基準面は平坦つまり平面に成形される。さらに、二次元基準面を、例えば、円弧形に湾曲させて成形してもよい。さらに、二次元基準面を、ある領域では平面とし、他の領域では湾曲面としてもよい。セキュリティエレメントが適用される湾曲面を考慮した事前の補正により、セキュリティエレメントを、湾曲面、特にドーム型の基材に適用することができる。第１の光学的知覚及び／又は第２の光学的知覚は、平坦面における対応するセキュリティエレメント、特に、平坦な基材と同様に、光学的に歪みのない状態で表される。
【００１０】
第２の微細構造の設計に基づきかつ観察条件に応じて、第１のオブジェクトの第１の光学的知覚と同時に、第１のオブジェクトの第２の光学的知覚を観察者に知覚させることができる。したがって、第２の光学的微細構造が実際の色彩を有するホログラムである場合、観察者による観察は観察条件に依存する。
【００１１】
観察条件という用語は、本明細書では、観察者がセキュリティエレメントを見る視野角と、セキュリティエレメントが照明装置によって照らされる角度と、を意味する。さらに、観察条件という用語は、例えば、拡散昼光又は点光源などの照明条件を意味する。視野角とは、セキュリティエレメントの下側に広がる平面の表面法線と、観察者の観察方向と、の間に含まれる角度を意味する。同様に、視野角とは、セキュリティエレメントの下側に広がる平面の表面法線と、照明装置の照明方向と、の間に含まれる角度を意味する。したがって、例えば、０°の視野角では、観察者は、セキュリティエレメントの表面を、垂直に見ており、７０°の視野角では、観察者は、浅い角度でセキュリティエレメントを見ている。観察者の観察方向及び／又は照明装置の照明方向及び／又は照明条件が変化すると、結果として観察条件が変化する。
【００１２】
本発明のさらなる有利な実施例は従属クレームに記載されている。
【００１３】
一つ又は複数の第１の区域及び一つ又は複数の第２の区域からなる総表面積における前記一つ又は複数の第１の区域の割合は、１０％〜９０％、好ましくは、３０％〜７０％、さらに好ましくは、４５％〜５５％である。これにより、観察者に対して第１の光学的知覚及び第２の光学的知覚を適切に重み付けすることができる。したがって、一つ又は複数の第１の区域及び一つ又は複数の第２の区域からなる総表面積における一つ又は複数の第１の区域の割合が５０％である場合に、観察者にとって、第１の光学的知覚と第２の光学的知覚とを組み合わせた特に記憶に残る効果が生じる。
【００１４】
本発明のさらに好ましい実施例によれば、第１の微細構造は、セキュリティエレメントの層に成形され、この第１の微細構造の成形は、第１の微細構造体の構造高さが、関数Ｆ（ｘ，ｙ）により表される三次元オブジェクトの表面プロファイルと、座標軸ｘ，ｙに亘る二次元基準面と、の間の最大距離よりも小さい所定の値に制限されるように行われる。関数Ｆ（ｘ，ｙ）は、表面プロファイルと、座標点ｘ，ｙにおける二次元基準面との間の距離を表す。第１の微細構造により観察者に提供される第１の光学的知覚は、関数Ｆ（ｘ，ｙ）により表される三次元オブジェクトの表面プロファイルに対応している。
【００１５】
関数Ｆ（ｘ，ｙ）により表される表面プロファイルは、好ましくは、一つ又は複数の英数字、幾何学的図形、肖像画、及び／又は他のオブジェクト若しくはモチーフを含む。
【００１６】
有利には、関数Ｆ（ｘ，ｙ）により表される表面プロファイルが入射光を偏向させる方向と、第１の微細構造が入射光を偏向させる方向とが同一になるように、当該第１の微細構造が成形される。これにより、関数Ｆ（ｘ，ｙ）により表される三次元オブジェクトの表面プロファイルに対応するか、あるいは少なくとも概ね対応する第１の光学的知覚が観察者に提供される。したがって、観察者の知覚は、三次元オブジェクトの自然な印象に近似する。
【００１７】
さらに、関数Ｆ（ｘ，ｙ）は、所定の複数の領域では連続的であり、他の所定の複数の領域では微分可能な関数とし得る。
【００１８】
セキュリティエレメントを形成する方法において、有利には、三次元オブジェクトを記録するステップａ）は、仮想三次元オブジェクトの生成、並びに／又は、記録装置、特にコンタクトプロフィルメータ及び／若しくはレーザスキャナを用いた現実の三次元オブジェクトの記録を含む。したがって、三次元オブジェクトの記録は、テンプレートを使用しない、又は、例えば、三次元オブジェクトの写真をテンプレートとして使用した仮想三次元オブジェクトの生成及び自由造形的設計と、記録装置を用いた現実の三次元オブジェクトの記録と、を含む。三次元オブジェクトの一つ又は複数の写真は、好ましくは、仮想三次元オブジェクトの生成のためのテンプレートとして用いられる。ここで、仮想三次元オブジェクトを介して、可能な限り正確に三次元オブジェクトを再現するために、一つ又は複数の写真を異なる視点から撮影することが有益である。しかし、１つの写真から仮想三次元オブジェクトを生成してもよい。この種の仮想三次元オブジェクトは、例えば、ポリゴンメッシュ、ワイヤフレームモデル又はボクセルに基づいたコンピュータグラフィックスによって生成される。仮想三次元オブジェクトの生成に適したソフトウェアとしては、例えば、米国カリフォルニア州に所在する、ピクソロジック（Pixologic）社のＺブラシ（ZBrush）又はスカルプトリス（Sculptris）等がある。記録装置、特に、コンタクトプロフィルメータ、及び／又はレーザスキャナによって現実の三次元オブジェクトを記録してもよい。したがって、記録装置を用いて、例えば、コインを三次元オブジェクトとして記録することができる。コンタクトプロフィルメータは、例えば、スタイラスを用いて三次元オブジェクトの表面をスキャンする。このようにして得られた測定データから、仮想三次元オブジェクトが生成される。同様に、レーザスキャナは、三次元オブジェクトの表面をレーザビームにより各点ごとにスキャンすることによって仮想三次元オブジェクトを生成する。レーザスキャナの焦点は、各点ごとに異ならせることができる。コンタクトプロフィルメータと異なり、レーザスキャナは非接触型の光学記録装置である。さらに、三次元オブジェクトを記録するために、例えば、共焦点技術又は白色光干渉法に基づくさらなる非接触型の光学記録装置を用いてもよい。
【００１９】
さらに、観察者にとって非常に印象的な、例えば、周知の建物又は彫刻等の現実の三次元オブジェクトや、例えば、周知の人物の胸部等の三次元画像を記録することができる。また、現実の三次元オブジェクトとして生じ得ない仮想三次元オブジェクトを生成することもできる。したがって、例えば、不可能な階段（impossible staircase）のような実際には不可能な三次元図形を仮想的に生成することができる。
【００２０】
記録装置の空間分解能は、好ましくは、関数Ｆ（ｘ，ｙ）により表される三次元オブジェクトの表面プロファイルにおける、表示する最小構造の少なくとも１．５倍、好ましくは２倍、さらに好ましくは２．５倍に対応している。これにより、三次元オブジェクトの全ての細部は、第１の微細構造において再現される。したがって、観察者は、関数Ｆ（ｘ，ｙ）により表される三次元オブジェクトの表面プロファイルに対応する第１の光学的知覚における三次元オブジェクトの全ての細部を知覚する。
【００２１】
バイナリ表面レリーフ、多階段状表面レリーフ（以下、多階段状表面レリーフという）、及び／又は連続的な表面レリーフ（以下、連続的表面レリーフという）を有する微細構造は、ステップｃ）における第１の微細構造として有利に決定される。
【００２２】
さらに、第１の微細構造がバイナリ表面レリーフ、多階段状表面レリーフ又は連続的表面レリーフを有することが有利である。したがって、例えば、連続的表面レリーフとして、正弦曲線の格子構造を使用することができる。さらに、第１の微細構造は、一つ又は複数の構造パラメータにおいて、規則的であってもよいし、あるいは統計的に、特に、ランダムに、かつ／又は擬似ランダムに変化させるようにしてもよい。第１の微細構造を、上記の微細構造の１つと、等方性又は異方性のマット構造と、を組み合わせたものとしてもよい。このような組み合わせは、例えば、第１の微細構造と、等方性又は異方性のマット構造との付加的又は減法的な重ね合わせとし得る。
【００２３】
第１の微細構造の構造高さは、好ましくは、バイナリ表面レリーフの形成のため第１の微細構造の表面全体に亘って実質的に一定となるように選択され、さらに、第１の微細構造のバイナリ表面レリーフの格子バーの幅及び／又は格子溝の幅は、観察者に第１の光学的知覚を与えるように選択される。バイナリ表面レリーフは、実質的に長方形の格子溝及び格子バーを有する。バイナリ表面レリーフの格子溝及び／又は格子バーの幅が異なるため、異なる方向への光の回折が実現する。この種のバイナリ表面レリーフは、対応するマスクを使用して形成することができる。これにより、一方では、バイナリ表面レリーフを有する第一の微細構造を非常に高い精度で形成することができ、他方では、製造コストを比較的低く抑えることができる。このように第１の微細構造を高精度に形成することにより、第１の微細構造による光学的に可変の効果において良好な輝度が得られる。
【００２４】
また、連続的表面レリーフの形成のため、第１の微細構造は、第１の微細構造の連続的表面レリーフの格子溝の一方の側面が、各々の場合において、互いに平行をなし、かつ二次元基準面に直交する側面に実質的に平行をなすように設計される。さらに、第１の微細構造は、格子溝の他方の側面が、各々の場合に、少なくとも所定の領域において、関数Ｆ（ｘ，ｙ）により表される三次元オブジェクトの表面プロファイルと平行をなすように設計される。第１の微細構造の連続的表面レリーフの形成のため、第１の微細構造は、当該第１の微細構造の構造高さの所定値を法とする関数Ｆ（ｘ，ｙ）により表される表面プロファイルの結果と等しくなるように設計される。したがって、連続的表面レリーフとは、少なくとも所定の領域内で連続する表面レリーフを意味する。したがって、連続的表面レリーフは、互いに平行をなし、かつ二次元基準面に対する垂直面に対して実質的に平行な複数の格子溝の各々における一方の側面の間に連続的なプロファイルを有する。この種の表面レリーフは、好ましくは、レーザ又は電子ビームリソグラフィー装置を用いた、いわゆる「直接描画」により形成される。この方法はグレートーンリソグラフィーとも呼ばれる。この種の装置及び方法は、関数Ｆ（ｘ，ｙ）により表される三次元オブジェクトの表面プロファイルに対応する、第１の光学的知覚の形態で光学的効果を観察者にもたらす非常に特殊な表面レリーフの形成を可能にする。さらに、この種の表面レリーフは、ホログラフィック法、又は特殊なグレートーンマスク法を用いて形成することができる。
【００２５】
少なくとも所定の領域において、関数Ｆ（ｘ，ｙ）により表される三次元オブジェクトの表面プロファイルと平行をなす格子溝の他方の側面は、各々の場合において、階段に近似しており、この階段に近似した高さが、二次元基準面の所定の座標点ｘと座標点ｙとの間において一定であり、かつ連続的表面レリーフを有する第１の微細構造の座標点ｘ及び座標点ｙの各々における値に対応するように、前記他方の側面が階段に近似している。これにより、観察者に第１の光学的知覚をもたらす多階段状表面レリーフが形成される。有利には、階段に近似させた側面は、二次元基準面に対する垂直面に実質的に平行をなしている。所定の座標点ｘ，ｙは、好ましくは、二次元グリッドを形成する。階段状の近似は、各々の場合において、二次元グリッドのグリッド領域において実行される。二次元グリッドのグリッド面積が小さいほど、すなわち、二次元グリッドの分解能が高いほど、連続的表面レリーフを有する第１の微細構造は、より良好に階段に近似する。
【００２６】
さらに有利には、ステップｄ）において、第１の微細構造のセキュリティエレメントの層への導入は、電子ビームリソグラフィー及び／又はフォトリソグラフィーにより行われる。これにより、関数Ｆ（ｘ，ｙ）により表される三次元オブジェクトに対応する所望の第１の光学的知覚を観察者にもたらす、表面レリーフ、特にバイナリ表面レリーフ、多階段状表面レリーフ及び／又は連続的表面レリーフを有する第１の微細構造を形成することができる。
【００２７】
さらに、セキュリティエレメントを形成する方法は、以下のステップを含でいてもよい。当該方法は、第１のオブジェクト、特に三次元オブジェクトの少なくとも２つの別個の色分解、及び／又は、関数Ｆ（ｘ，ｙ）により表される三次元オブジェクトの表面プロファイルの少なくとも２つの別個の色分解、及び／又は、三次元オブジェクトの二次元表現の少なくとも２つの別個の色分解を決定するステップを含む。第１のオブジェクト、特に三次元オブジェクトの少なくとも２つの別個の色分解、及び／又は、関数Ｆ（ｘ，ｙ）により表される三次元オブジェクトの表面プロファイルの少なくとも２つの別個の色分解、及び／又は、三次元オブジェクトの二次元表現の少なくとも２つの別個の色分解は、色空間、特にＲＧＢ色空間の異なる原色に対応している。また、上記方法は、少なくとも２つの別個の色分解のための少なくとも２つの別個のグリッドマスクを形成するステップを含む。少なくとも２つの別個のグリッドマスクの形成は、少なくとも２つの別個のグリッドマスクが、グリッドパラメータ、特にグリッド幅及び／又はグリッド角において異なるように行われる。グリッドパラメータ、特にグリッド幅及び／又はグリッド角は、色空間、特にＲＧＢ色空間の異なる原色に対応している。さらに、上記方法は、少なくとも２つの別個のグリッドマスクを用いて、フォトレジストプレートを見当（位置）合わせした状態でフォトレジストプレートを露光するステップと、フォトレジストプレートを現像するステップと、を含む。
【００２８】
さらに、スリット露光又はグリッド（格子）露光により、一つ又は複数の中間マスターを用いて、フォトレジストプレートの露光を行うことができる。これにより、観察角度及び／又は照明角度の変化に対する第１のオブジェクトの多色表現の依存性を低減させることができる。しかし、観察角度及び／又は照明角度の変化に対する第１のオブジェクトの多色表現の依存性を低減することにより、第１のオブジェクトの輝度が僅かに失われることがある。
【００２９】
さらに、セキュリティエレメントを形成する方法は、現像されたフォトレジストプレートによりエンボスダイを製造するステップを含んでいてもよい。
【００３０】
さらに有利には、セキュリティエレメントを形成する方法は、セキュリティエレメントの層、特に、セキュリティエレメントの一つ又は複数の第２の区域に第２の微細構造を導入するステップを含む。この第２の微細構造の導入は、第２の微細構造が第２の光学的知覚を観察者に提供するように行われる。第２の光学的知覚は、第１のオブジェクト、特に、三次元オブジェクトの多色表現、及び／又は、関数Ｆ（ｘ，ｙ）により表される三次元オブジェクトの表面プロファイルの多色表現、及び／又は、三次元オブジェクトの二次元表現の多色表現に対応している。
【００３１】
さらに、レーザ又は電子ビームリソグラフィー装置を用いた、いわゆる「直接描画」によって、第２の微細構造をセキュリティエレメントの層に導入することができる。これにより、最高品質の微細構造を形成することができ、ナノメートルの範囲までの最高分解能が得られる。
【００３２】
本発明のさらに好ましい実施例によれば、第１のオブジェクトの多色表現は、色空間、特にＲＧＢ色空間の少なくとも２つの異なる原色を含む。これにより、観察者に興味深くかつ記憶に残る光学的効果がもたらされる。色空間の少なくとも２つの異なる原色を使用することにより、観察者に対して、色空間の少なくとも２つの異なる原色から混合色が生成される。
【００３３】
さらに有利には、前記異なる原色は、人間の目に見える波長の範囲、特に、３８０ｎｍ〜７８０ｎｍの波長範囲にある。
【００３４】
また、第２の微細構造は、本来の色彩を有するホログラム、及び／又はキネグラム（Kinegram）（登録商標）とし得る。
【００３５】
さらに有利には、第１の微細構造を含むセキュリティエレメントの層が、反射層、特に、金属層、及び／又はＨＲＩ層（High Refractive Index：高屈折率）又はＬＲＩ層（Low Refractive Index：低屈折率）を含み、複数の反射層を有する多層系であることが好ましく、反射層、例えば、金属層、及び／又はＨＲＩ層は、互いに隣接して、及び／又は互いに重なって、あるいは、ＨＲＩ層及びＬＲＩ層が交互に配置されている。
【００３６】
したがって、クロム、アルミニウム、金、銅、銀又これらの金属の合金からなる金属層として反射層を成形することができる。金属層は、１０ｎｍ〜１５０ｎｍの層厚を有するように、真空下で蒸着されることが好ましい。
【００３７】
さらに、反射層は、透明反射層、好ましくは、薄い金属層又は微細な構造をなす金属層、あるいは誘電体ＨＲＩ層又は誘電体ＬＲＩ層により形成され得る。このような誘電体反射層は、例えば、酸化チタン、ＺｎＳ等の金属硫化物や金属酸化物から形成される蒸着層からなり、１０ｎｍ〜１５０ｎｍの厚さを有する。
【００３８】
さらに、反射層を所定の領域において成形してもよい。これにより、例えば、反射層の下方に横たわるさらなるセキュリティ機能を観察者が視認することができる。また、反射層をパターン化してもよく、特に、情報の項目を表すように設計してもよい。パターンは、例えば、図形的に形成された輪郭、造形的表現、グリッド、画像、モチーフ、シンボル、ロゴ、肖像画、英数字、テキスト等である。これにより、偽造に対する保護をさらに向上させることができる。
【００３９】
本発明のさらに好ましい実施例によれば、一つ又は複数の第１の区域及び一つ又は複数の第２の区域は、グリッドに従って配置される。
【００４０】
グリッド幅は、人間の裸眼の解像度の限界よりも小さくすることができ、特に、グリッド幅は、３００μｍよりも小さく、好ましくは、２００μｍよりも小さい。
【００４１】
グリッドは、好ましくは、ｘ軸又はｙ軸に亘る一次元グリッド、特にライングリッドである。
【００４２】
一次元グリッドは、蛇行曲線状又は波線状に形成され得る。
【００４３】
さらに有利には、グリッドは、前記ｘ軸及び前記ｙ軸、特にドットグリッドに亘る二次元グリッドである。
【００４４】
有利には、グリッドは周期的グリッドである。
【００４５】
一つ又は複数の第１の区域及び一つ又は複数の第２の区域は、好ましくは、互いにグリッド状（格子状）に配置される。
【００４６】
さらに有利には、各々の場合において、一つ又は複数の第１の区域における第１の区域が、一つ又は複数の第２の区域における第２の区域に隣接して配置され、一つ又は複数の第１の区域が、一つ又は複数の第２の区域と交互に配置される。
【００４７】
したがって、一つ又は複数の第１の区域の配置及び一つ又は複数の第２の区域の配置を、いわゆるインターレースによりグリッドに従って行うことができる。これにより、一つ又は複数の第１の区域及び一つ又は複数の第２の区域が互いにグリッド状に配置される。すなわち、１つの第１の区域と１つの第２の区域とが、各々の場合に互いに隣接しており、かつ、各々の場合に交互に配置される。したがって、グリッド幅が特に各々の場合に人間の裸眼の解像度以下である２つの高解像度の第１及び第２の区域のインターレースにより、第１及び第２の区域の両方の光学的効果が組み合わされ、同時に認識される。一つ又は複数の第１の区域において、第１の微細構造が、例えば、三次元的効果を有するオブジェクト又はモチーフを表し、一つ又は複数の第２の区域において、第２の微細構造が、第１の区域における第１の微細構造と同一のオブジェクト又はモチーフの本来の色彩の表現を、例えば、本来の色彩を有するホログラムとして表す場合に、上記組み合わせにより、本来の色彩における空間的又は三次元的な印象を特に有利に実現することができる。この組み合わせは、オブジェクト又はモチーフの現実の彫刻的な複製による自然な印象に非常に近似しているため、人間である観察者が光学的効果を非常に現実的であると知覚することができる。
【００４８】
好ましくは、パラメータである第１の微細構造の格子深さ、方位角又は格子周期の少なくとも１つが、所定の変動範囲内で擬似ランダムに変化する。したがって、各々の場合に予め定義された変動範囲内における一つ又は複数のパラメータである第１の微細構造の格子深さ、方位角又は格子周期の擬似ランダムの変化に対して、パラメータの変動値が予め定義されたパラメータ変動値の群から選択される。この予め定義されたパラメータ変動値の群は、好ましくは３〜３０のパラメータ変動値、さらに好ましくは３〜１０のパラメータ変動値を含む。したがって、擬似ランダム変化は、変動範囲内の全ての可能なパラメータを採用する完全にランダムなプロセスではなく、限られた数の可能なパラメータに基づくものである。
【００４９】
さらに有利には、第１の微細構造のパラメータである方位角が、−１８０°から＋１８０°までの変動範囲において擬似ランダムに変化する。
【００５０】
第１の微細構造の最大格子深さと、第１の微細構造の最小格子深さとの間の差は、０．１μｍ〜１０μｍ、好ましくは０．２５μｍ〜２．５μｍであり、格子深さは、前記最大格子深さと、前記最小格子深さとの間において擬似ランダムに変化する。
【００５１】
また、一次元グリッドのグリッド幅は、特に所定の変動範囲内において、ｘ軸の方法又はｙ軸の方向に変化してもよい。
【００５２】
さらに、グリッドは、非周期的グリッド、特に、グリッド幅が所定の変動範囲内で変化してもよい。
【００５３】
したがって、有利には、座標軸ｘの方向及び／又は座標軸ｙの方向における平均グリッド幅の５０％〜１５０％の範囲、特に８０％〜１２０％の範囲において、グリッド幅は座標軸ｘの方向及び／又は座標軸ｙの方向に変動する。
【００５４】
さらに、グリッド幅は、２つの連続するグリッド点の間で少なくとも１％、特に少なくとも１０％だけ座標軸ｘの方向及び／又は座標軸ｙの方向に変動してもよい。
【００５５】
さらに、セキュリティエレメントの層の一つ又は複数の第３の区域が、第３の微細構造、特に、回折レリーフ構造を有する。当該回折レリーフ構造は、キネグラム又はホログラム、０次回折構造、ブレーズド回折格子、特に、非対称で鋸歯状のレリーフ構造、回折構造、特に、線形の正弦曲線回折格子、又は交差した正弦曲線回折格子又は線形の単一矩形格子又は多階段状の矩形格子、又は交差した単一矩形格子又は多階段状の矩形格子、光回折式及び／又は光屈折式又は集光式のマイクロ構造又はナノ構造、バイナリ又は連続的なフレネルレンズ、バイナリ又は連続的なフレネル自由表面、回折又は屈折マクロ構造、特に、レンズ構造又はマイクロプリズム構造、鏡面、マット構造、特に、異方性又は等方性のマット構造、あるいはこれらの構造の組み合わせからなる群から選択される。
【００５６】
セキュリティ文書は、例えば、紙幣（銀行券）、証券、株券、クレジットカード、銀行カード、キャッシュカード、ポイントカード、チケット又は身分証明書、ビザ、運転免許証、特にマイクロチップ付きカード、又はパスポートとし得る。
【００５７】
以下、添付の図面を参照して、本発明の実施例を説明する。なお、当該図面は縮尺通りに描かれていない。
【図面の簡単な説明】
【００５８】
【図１ａ】図１ａは、セキュリティエレメントを有するセキュリティ文書の概略的な上面図である。
【図１ｂ】図１ｂは、図１ａによるセキュリティエレメントの概略的な上面図である。
【図２ａ】図２ａは、セキュリティエレメントを形成する方法のステップを概略的に示す図である。
【図２ｂ】図２ｂは、セキュリティエレメントを形成する方法のステップを概略的に示す図である。
【図２ｃ】図２ｃは、セキュリティエレメントを形成する方法のステップを概略的に示す図である。
【図２ｄ】図２ｄは、セキュリティエレメントを形成する方法のステップを概略的に示す図である。
【図２ｅ】図２ｅは、セキュリティエレメントを形成する方法のステップを概略的に示す図である。
【図２ｆ】図２ｆは、セキュリティエレメントを形成する方法のステップを概略的に示す図である。
【図３ａ】図３ａは、概略的な断面図である。
【図３ｂ】図３ｂは、概略的な断面図である。
【図３ｃ】図３ｃは、概略的な断面図である。
【図４ａ】図４ａは、セキュリティエレメントを形成する方法のステップを概略的に示す図である。
【図４ｂ】図４ｂは、セキュリティエレメントを形成する方法のステップを概略的に示す図である。
【図４ｃ】図４ｃは、セキュリティエレメントを形成する方法のステップを概略的に示す図である。
【図５ａ】図５ａは、セキュリティエレメントを形成する方法のステップを概略的に示す図である。
【図５ｂ】図５ｂは、セキュリティエレメントを形成する方法のステップを概略的に示す図である。
【図５ｃ】図５ｃは、セキュリティエレメントを形成する方法のステップを概略的に示す図である。
【図６ａ】図６ａは、図５ｃの細部の拡大図である。
【図６ｂ】図６ｂは、図５ｃの細部の拡大図である。
【図６ｃ】図６ｃは、図５ｃの細部の拡大図である。
【図７ａ】図７ａは、セキュリティエレメントの概略的な上面図である。
【図７ｂ】図７ｂは、セキュリティエレメントの概略的な上面図である。
【図７ｃ】図７ｃは、セキュリティエレメントの概略的な上面図である。
【図８ａ】図８ａは、セキュリティエレメントの概略的な上面図である。
【図８ｂ】図８ｂは、セキュリティエレメントの概略的な上面図である。
【図８ｃ】図８ｃは、セキュリティエレメントの概略的な上面図である。
【図９】図９は、転写フィルムの概略的な断面図である。
【発明を実施するための形態】
【００５９】
図１ａは、セキュリティ文書２上に形成されたセキュリティエレメント１を示している。セキュリティ文書２は、好ましくは、紙幣（銀行券）、身分証明書（例えば、ＩＤカード）、ビザ、証券又はクレジットカードである。セキュリティ文書２は、さらなるセキュリティエレメントを含み得る。この種のセキュリティエレメントとして、例えば、セキュリティスレッド４、（個々に図示せぬ）セキュリティプリント、又はフィルムエレメント（転写フィルム又は積層フィルム）として適用されるセキュリティエレメント等が挙げられる。セキュリティエレメント１は、さらなるセキュリティエレメントとオーバーラップし、かつ／あるいは、このセキュリティエレメントに隣接して配置され得る。
【００６０】
セキュリティエレメント１は、例えば、接着層により、セキュリティ文書に適用される。セキュリティエレメント１は、特にホットエンボス加工又はコールドエンボス加工により、転写フィルムの転写プライとしてセキュリティ文書２に適用され得る。代替例として、セキュリティエレメント１は、タグ又はラベルとして適用され得る。
【００６１】
図１ａに示すように、セキュリティエレメント１は、観察者に対して三次元に映る幾何学的図形３を有する。しかし、セキュリティエレメント１は、英数字、肖像画、及び／又は他のオブジェクトを有していてもよく、これらのオブジェクト等は、観察者に対して、三次元、又は上方に突出したドーム状又は下方に窪んだドーム状に映る。
【００６２】
図１ｂに示すように、二次元基準面５は、ｘ座標軸６及びｙ座標軸７に亘って設けられている。この二次元基準面５に対して、ｚ軸８が直交している。すなわち、図１ｂは、空間的な方向６，７，８を画定する座標軸ｘ，ｙ，ｚに亘る三次元座標系を例示している。
【００６３】
セキュリティエレメント１は、微細構造を含む層を有する。この層は、好ましくは、１μｍ〜１００μｍの層厚を有するワニス層である。
【００６４】
微細構造は、幾何形状３の空間的な光学的知覚を観察者に提供するように成形される。
【００６５】
図２ａ〜図２ｆは、セキュリティエレメント１を形成する方法のステップを概略的に示している。
【００６６】
図２ａ〜図２ｃは、セキュリティエレメント１を形成する方法の各ステップを示しており、上記ステップは、図２ａに概略的に示す二次元画像２０から開始される。ここで、画像２０は、三次元的効果を有するオブジェクトを図示している。この芸術的なイラストすなわち図自体は二次元であり、この芸術的な形態又はデザインを介して三次元の光学的印象がもたらされる。
【００６７】
第１のステップは、二次元画像２０から始まり、図２ｂに示すように、仮想三次元オブジェクト２１が生成される。この種の仮想三次元オブジェクト２１は、例えば、ポリゴンメッシュ、ワイヤフレームモデル又はボクセルに基づいたコンピュータグラフィックスによって生成される。仮想三次元オブジェクト２１の生成に適したソフトウェアとしては、例えば、米国カリフォルニア州に所在するピクソロジック社のＺブラシ又はスカルプトリス等がある。また、現実の三次元オブジェクトとして形成することができない仮想三次元オブジェクトを生成することが可能である。例えば、不可能図形である不可能な階段など、現実には不可能な三次元図形を仮想的に生成することができる。この種の仮想三次元オブジェクトの場合、二次元画像をテンプレートとして用いる必要ではなく、したがって、この種の仮想三次元オブジェクトは、完全にコンピュータグラフィックスによって生成される。
【００６８】
現実の三次元オブジェクトを、記録装置、特にコンタクトプロフィルメータ及び／又はレーザスキャナにより記録することができる。例えば、コインを現実の三次元オブジェクトとして記録装置により記録することができる。コンタクトプロフィルメータは、例えば、スタイラスを用いて三次元オブジェクトの表面をスキャンする。このようにして得られた測定データから、仮想三次元オブジェクトが生成される。同様に、レーザスキャナは、三次元オブジェクトの表面をレーザビームにより点ごとにスキャンすることによって仮想三次元オブジェクトを生成する。レーザスキャナの焦点は、スキャンする各点ごとに異ならせることができる。コンタクトプロフィルメータと異なり、レーザスキャナは非接触型の光学記録装置である。三次元オブジェクトを記録するために、例えば、共焦点技術又は白色光干渉法に基づくさらなる非接触型の光学記録装置を用いてもよい。さらに、現実の三次元オブジェクトをストリップ投影法又は三角測量法によって記録してもよい。この種の記録装置では、非常に大きなオブジェクト、特にビル、車又は山地などの地形を記録することができる。記録装置の空間分解能は、好ましくは、現実の三次元オブジェクトの表示される最小構造の少なくとも１．５倍、好ましくは、２倍、さらに好ましくは、２．５倍に相当する。さらに、観察者にとって非常に印象的な、例えば、周知の建物又は周知の人物の胸部等の実際の三次元オブジェクトを記録することができる。
【００６９】
さらなるステップでは、関数Ｆ（ｘ，ｙ）により表される三次元オブジェクト２１の表面プロファイルが決定される。関数Ｆ（ｘ，ｙ）は、座標点ｘ，ｙにおける座標軸ｘ，ｙに亘る二次元基準面と、表面プロファイルとの間の距離を表す。このため、三次元の表面プロファイルは、例えば、二次元基準面上に点ごとに投影される。対応する距離は、選択された基準面に対する基準面の各点について幾何学的に計算される。この手段により、関数Ｆ（ｘ，ｙ）により表される表面プロファイルは、例えば、三次元オブジェクトの高さ情報を符号化した点群の形態で形成される。多数の点、特に１０〜１００百万個の点を用いることが好ましく、したがって、これに対応して、三次元オブジェクトの表面の正確なスキャンが行われる。好ましくは、投影は、適切な投影アルゴリズムを用いて行われる。さらに、二次元基準面は、平坦面及び／又は湾曲面とし得る。
【００７０】
さらなるステップにおいて、微細構造は、微細構造の構造高さが表面プロファイルと二次元基準面との間の最大距離よりも小さい所定の値に制限されるように決定される。また、微細構造によって、関数Ｆ（ｘ，ｙ）により表される三次元オブジェクト２１の表面プロファイルに対応する第１の光学的知覚を観察者２２に提供するように、微細構造が決定される。したがって、関数Ｆ（ｘ，ｙ）により表される三次元オブジェクト２１の表面プロファイルから開始して、微細構造は、例えば、数学的なモジュロ演算などにより計算される。ここで、微細構造の構造高さは、最大許容値に予め制限されている。微細構造は、微細構造の構造高さの所定値を法とする関数Ｆ（ｘ，ｙ）により表される表面プロファイルの結果と等しい。ここで、構造高さの最大許容値又は構造高さ自体は、例えば、許容される最大構造高さ又は特定波長の回折効率の最大化などの境界条件に基づいて決定されることが好ましい。
【００７１】
最後のステップでは、微細構造が、特にマイクロリソグラフィー法によりセキュリティエレメント１の層に導入される。この微細構造の導入は、図２ｃに示すように、微細構造が関数Ｆ（ｘ，ｙ）により表される三次元オブジェクト２１の表面プロファイルに対応する光学的知覚２３を観察者２２に提供するように行われる。図２ｃは、セキュリティエレメント１の層の微細構造によって生成される光学的知覚２３を、簡略化して概略的に示している。微細構造は、図２ａに示した芸術的な図を用いた場合に比べて、より現実的な三次元的効果を実現することができる。基本的な光学的印象に関する限り、図２ｃに示した光学的知覚２３を生成する微細構造を用いて、図２ａに示したものと同様の三次元オブジェクト又はモチーフを生成することもできる。ここで、モチーフは類似するものの、三次元的な光学的効果をより強調的かつ現実的に再生することができる。微細構造は、例えば、電子ビームリソグラフィー、レーザビームリソグラフィー、キネマックス、ホログラフィー及び／又はマスクライティングプロセスなどの確立されたリソグラフィー法を用いて、セキュリティエレメント１の層に導入され得る。
【００７２】
図２ｄ〜図２ｆは、図２ｄに示す二次元画像２０から開始されるセキュリティエレメント１を形成する方法のステップを示している。二次元画像２０は、肖像画を写真の形態で示している。図２ｅは、コンピュータグラフィックスにより生成された仮想三次元オブジェクト２１の３つの斜視図を示している。図２ｆは、観察者に提供されるセキュリティエレメント１の光学的知覚２３を示している。図２ｄ〜図２ｆにおけるセキュリティエレメント１を形成する方法のステップに関して、上記の記載を参照することとする。
【００７３】
図３ａ〜図３ｃは、概略的な断面を示している。図３ａは、単純な球状プロファイル３０の断面図を示している。この球状プロファイル３０は、以下の特に簡単な例における関係を説明するために選択されたものである。言うまでもなく、かなり複雑な表面プロファイル、例えば、肖像画、シンボル又は紋章のような芸術的にデザインされたレリーフなどの場合には、結果として得られる微細構造は、所望とする光学的効果を提供するためにより著しい複雑性を有する。図３ａの球状プロファイル３０は、関数Ｆ（ｘ，ｙ）により表される三次元オブジェクトの表面プロファイル３７、例えば、図２ｂの三次元オブジェクト２１の細部を示している。ｘ軸、ｙ軸、ｚ軸を示しているが、正確な値は重要ではないため、単位を表示していない。例えば、ｘ軸及びｙ軸は、ｍｍ単位で表すことができ、ｚ軸は、ラジアン単位で表すことができる。例えば、球状プロファイル３０の直径は、０.１５ｍｍ〜３００ｍｍの範囲内にある。球状プロファイル３０は、座標軸ｚに対して平行に延びる最大構造高さ３１を有する。図３ａにおいて、球状プロファイル３０の構造高さ３１は５０であり、この値はラジアンで表した位相差である。入射光３５の波長が分かっている場合には、（材料層３３，３４の屈折率を考慮して）位相差から幾何学的高さを計算することができる。座標軸ｚは、座標軸ｘ及び座標軸ｙに亘る基準面３２に対して垂直をなしている。したがって、最大構造高さ３１は、基準面３２と、関数Ｆ（ｘ，ｙ）により表される三次元オブジェクトの表面プロファイル３７との間の最大距離に対応している。球状プロファイル３０は、幾何学的デザインに応じて入射光３５を方向３６へと偏向する。さらに、入射光３５の偏向は、三次元オブジェクトの材料層３３，３４の屈折率と、入射光３５の波長と、に依存している。したがって、関数Ｆ（ｘ，ｙ）により表される表面プロファイル３７は、三次元オブジェクトの材料層３３，３４間に光学境界面を形成する。三次元オブジェクトの材料層３３，３４の一方は、空気により形成され得る。
【００７４】
図３ｂは、連続的表面レリーフ４０を有する微細構造を示している。連続的表面レリーフ４０を有する微細構造は、図３ａにおける関数Ｆ（ｘ，ｙ）により表される表面プロファイル３７と同一の方向３６に入射光３５を偏向させるように成形されている。ここで、関数Ｆ（ｘ，ｙ）により表される表面プロファイル３７に加えて、三次元オブジェクトの材料層３３，３４及び入射光３５の波長が考慮される。これにより、入射光が、図３ａの場合と実質的に同一の方向３６へと偏向される。図３ｂに示すように、連続的表面レリーフ４０を有する微細構造の構造高さ４３は、図３ａにおける球状プロファイル３０の最大構造高さ３１よりも低い。図３ｂに示した構造高さ４３は６であり、この値は、図３ａの場合と同様に、ラジアンで表した位相差である。構造高さ４３は、球状プロファイル３０の最大構造高さ３１の少なくとも１０倍小さいことが好ましい。微細構造４４の連続的表面レリーフにおける格子溝の側面４１は、互いに平行に延びており、かつ二次元基準面３２に対する垂直面に対して実質的に平行をなしている。格子溝の他方の側面４２は、各々の場合において、少なくともいくつかの領域において関数Ｆ（ｘ，ｙ）により表される表面プロファイル３７に対して平行に延びている。好ましくは、微細構造４４は、微細構造４４の構造高さ４３の所定値を法とする関数Ｆ（ｘ，ｙ）により表される表面プロファイル３７の結果により決定される。数学的モジュロ演算により、微細構造４４の連続的表面レリーフ４０における格子溝の側面４１が形成される。側面４２は連続的なプロファイルを有する。
【００７５】
さらに、側面４２を階段（ステップ）に近似させるようにしてもよい。階段に近似させた側面の高さは、二次元基準面３２の所定の座標点ｘ，ｙの間で一定であり、かつ連続的表面レリーフ４０を有する微細構造の各座標点ｘ，ｙにおける値に対応している。したがって、多階段状の表面レリーフを有する微細構造が生成される。有利には、階段に近似させた側面は、二次元基準面３２に対する垂直面に対して実質的に平行をなしている。所定の座標点ｘ，ｙは、好ましくは、二次元グリッドを形成する。ここで、各々の場合に、二次元グリッドのグリッド領域において階段状の近似が行われる。二次元グリッドのグリッド面積が小さいほど、すなわちグリッドの分解能が高いほど、連続的表面レリーフ４０を有する微細構造がより良好に階段に近似する。
【００７６】
微細構造４４は、好ましくは、層４５，４６の一方に導入される。好ましくは、層４５，４６はワニス層である。層４５，４６は、特に、熱可塑性ワニス（例えば、ＰＶＣ、ポリエステル又は熱可塑性アクリレート）から、又はＵＶ硬化性ワニス（例えば、イソシアネート（ＮＣＯ）を用いたアクリレート架橋）から形成される。観察者に面するワニス層４６は、透明又は半透明であることが好ましい。層４５，４６は、互いに同一又は異なる色を有する。したがって、例えば、層４５を緑色とし、層４６を赤色としてもよい。さらに、層４５，４６の一方を接着層として用いてもよい。光学的境界層を形成し、したがって微細構造４４を可視化するため、層４５，４６の屈折率が少なくとも０．２だけ異なる場合に、及び／又は、特に金属及び／又はＨＲＩ材料から形成される反射増進コーティングが層４５，４６の間において微細構造４４上に直接配置される場合に、有利である。
【００７７】
連続的表面レリーフ４０を有する微細構造４４は、好ましくは、いわゆる「直接描画」、すなわち、所望とするレリーフに基づいてレーザにより材料を除去する方法、あるいは所望とするレリーフに基づいてレーザ又は電子ビームリソグラフィー装置によりフォトレジスト又は電子ビームレジストを露光し、続いてフォトレジストを現像することによって所望のレリーフ又はそのネガを得る方法によって形成される。したがって、「直接描画」により、特に、図３ｂによる微細構造４４の連続的表面レリーフの生成が可能となる。
【００７８】
微細構造４４を含む層が、反射層、特に金属層、及び／あるいは、ＨＲＩ層（高屈折率層）又はＬＲＩ層（低屈折率層）を含む場合にさらに有利である。
【００７９】
反射層を、クロム、アルミニウム、金、銅、銀又はこれらの金属の合金からなる金属層として成形することが可能である。金属層は、１０ｎｍ〜１５０ｎｍの層厚を有するように、真空下で蒸着されることが好ましい。
【００８０】
さらに、反射層は、透明反射層、好ましくは、薄い金属層又は微細な構造をなす金属層、あるいは誘電体ＨＲＩ層又は誘電体ＬＲＩ層により形成され得る。このような誘電体反射層は、例えば、酸化チタン、ＺｎＳ等の金属硫化物や金属酸化物から形成される蒸着層からなり、１０ｎｍ〜１５０ｎｍの厚さを有する。反射層は、例えば、金属顔料を有するワニス及び／又は高屈折率を有するナノ顔料で印刷され得る。
【００８１】
さらに、反射層をいくつかの所定の領域内で成形してもよい。また、特に、情報の項目を表すように、反射層をパターン化して設計してもよい。パターンは、例えば、図形的に設計された輪郭、造形的表現、画像（イメージ）、モチーフ、シンボル、ロゴ、肖像画、英数字、テキスト等である。
【００８２】
図３ｃは、バイナリ表面レリーフ５０を有する微細構造を示している。バイナリ表面レリーフ５０を有する微細構造は、図３ａにおける関数Ｆ（ｘ，ｙ）により表される表面プロファイル３７と実質的に同一の方向３６に入射光３５を偏向させるように成形されている。図３ｃに示すように、バイナリ表面レリーフ５０を有する微細構造の構造高さ５３は、図３ａにおける球状プロファイル３０の最大構造高さ３１よりも低い。さらに、バイナリ表面レリーフ５０を有する微細構造の構造高さ５３は、連続的表面レリーフ４０を有する微細構造の構造高さ４３よりも低い。図３ｃにおける構造高さ５３は３であり、この値は、図３ａ，３ｂの場合と同様に、ラジアンで表した位相差である。構造高さ５３は、好ましくは、球状プロファイル３０の最大構造高さ３１の少なくとも２０倍小さい。バイナリ表面レリーフ５０を有する微細構造の構造高さ５３は、好ましくは、微細構造４４の表面全体に亘って実質的に一定である。微細構造４４のバイナリ表面レリーフの格子溝５２及び／又は格子バー５１の幅は、図３ａにおける関数Ｆ（ｘ，ｙ）により表される表面プロファイル３７に入射する光と同一の方向３６へと入射光３５が偏向するように選択される。バイナリ表面レリーフ５０は、実質的に長方形の格子溝５２及び格子バー５１を有する。バイナリ表面レリーフ５０の格子溝５２の幅及び／又は格子バー５１の幅が異なるか、あるいは回折格子の向きが異なるため、異なる方向への光の回折が実現される。
【００８３】
連続的表面レリーフの階段状の近似を形成する前述の多階段状表面レリーフ及び図３ｃにおける微細構造４４は、対応するマスクを用いて形成され得る。さらに、前述のいわゆる「直接描画」法により、この種の微細構造を形成することができる。
【００８４】
層４５，４６の設計に関し、上記の記載を参照することとする。
【００８５】
図４ａ〜図４ｃは、セキュリティエレメントを形成する方法のステップを概略的に示している。図４ａは、多色の造形的表現６０を示している。多色の造形的表現６０から始まり、図４ｂに示すように、多色の造形的表現６０の３つの色分解６１，６２，６３が生成される。色分解６１，６２，６３の各々は、例えば、ＲＧＢ色空間（Ｒ＝赤；Ｇ＝緑；Ｂ＝青）又はＣＭＹＫ色空間（Ｃ＝シアン；Ｍ＝マゼンタ；Ｙ＝イエロー；Ｋ＝ブラック）等の色空間の原色に対応している。ＲＧＢ色空間では、赤、緑及び青が原色である。色分解６１，６２，６３を生成するために、例えば、各々の場合に、他の２つの原色を抑制することにより単一の原色を有する造形的表現６０を得ることができる。したがって、例えば、適切なソフトウェアにより原色の赤及び緑が抑制された場合、多色の造形的表現６０には原色の青のみが残存する。色分解６１，６２，６３の色合い及び輝度は、例えば、ドットスキャニング、ラインスキャニング又は拡散ディザリング等のハーフトーン技術を用いて、色分解６１，６２，６３の個々の領域において計算される。この種の色分解６１，６２，６３を用いて、図４ｃに示すグリッドマスク６４，６５，６６が形成される。グリッドマスク６４，６５，６６は、本実施例では、グリッドパラメータ、特に、グリッド角及び／又はグリッド幅を有する。グリッドパラメータはグリッドマスク６４，６５，６６の間で異なり、それぞれＲＢＧ色空間の１つの色に対応している。その後、見当（位置）合わせされて配置されたグリッドマスク６４，６５，６６により、フォトレジストプレートが露光される。好ましくは、露光は、個々のグリッドマスク６４，６５，６６を用いて順に行われる。グリッドマスク６４，６５，６６の正確に見当合わせされた配置は、形成されるセキュリティエレメントにおけるの３つの原色の最適な重ね合わせのために重要な要素である。その後、所望とする表面レリーフを得るために、露光されたフォトレジストプレートが現像される。
【００８６】
さらに、一つ又は複数の中間マスターを用いるスリット露光又は格子露光により、フォトレジストプレートの露光を行うことができる。
【００８７】
エンボスダイは、好ましくは、現像されたフォトレジストプレートにより形成され、セキュリティエレメントはエンボスダイスを用いて形成される。このため、微細構造は、セキュリティエレメントの層、好ましくは、複製ワニス層等のワニス層へとエンボス加工される。
【００８８】
複製ワニス層は、例えば、熱可塑性ワニスからなり、この熱可塑性ワニスには、エンボス加工ツールの作用による熱及び圧力によって表面レリーフが成形される。さらに、ＵＶ架橋性ワニスにより複製ワニス層を形成し、ＵＶ複製により複製ワニス層に表面レリーフを成形してもよい。表面レリーフは、エンボス加工ツールにより、未硬化の複製ワニス層に成形され、複製ワニス層は、成形中又は成形後にＵＶ光（紫外線）の照射により直ちに硬化される。熱可塑性ワニスとＵＶ架橋性ワニスの組み合わせである、いわゆるハイブリッドワニス系を用いてもよい。
【００８９】
複製ワニス層は、好ましくは、０．１μｍ〜２０μｍの層厚を有する。
【００９０】
さらに、表面レリーフは、セキュリティエレメントの層における一つ又は複数の区域にエンボス加工され得る。
【００９１】
露光用に提供されるフォトレジストプレートは、好ましくは、ポジ型のフォトレジスト、特に、シップレイ社（Shipley）のMicroposit（登録商標）Ｓ１８００（登録商標）シリーズのフォトレジスト、及び特別な感光成分を有する。フォトレジストプレートは、ネガ型のフォトレジストを有してもよい。
【００９２】
露光用に提供されるフォトレジストプレートは、好ましくは、フォトレジストが１５℃〜３０℃の温度及び５０％〜９０％の相対湿度でプレートに適用されて形成される。フォトレジストは、好ましくは、スピンコーティングによりプレートに適用される。
【００９３】
フォトレジストプレートの露光は、好ましくは、２００ｎｍ〜５００ｎｍの波長を有する光を用いて行われる。
【００９４】
図５ａ〜図５ｃは、セキュリティエレメントを形成する方法のステップを概略的に示している。方法におけるステップについては、図４ａ〜４ｃを参照することとする。図５ａにおける多色の造形的表現６０は、肖像画として実装される。肖像画は、元々白黒の写真であり、その後に多色に彩色される。多色の彩色に適したソフトウェアとして、例えば、ロシア連邦、ペルミ（Ｐｅｒｍ）に所在するアクビス社（ＡＫＶＩＳ）から入手可能なAKVIS Coloriageを用いることができる。肖像画の形態の着色された造形的表現６０から開始され、図４ａ〜図４ｃを参照して前述したように、図５ｂに示す色分解６１，６２，６３及び図５ｃに示すグリッドマスク６４，６５，６６が形成される。
【００９５】
図６ａ〜図６ｃは、図５ｃに図示したグリッドマスク６４，６５，６６の拡大細部６７を示している。したがって、図６ａは、肖像画の目の領域におけるグリッドマスク６４の拡大細部６７を示している。図６ａに示すグリッドマスク６４のグリッド角は６６°である。グリッドマスク６４は、ＲＧＢ色空間における原色の青に対応している。図６ｂは、肖像画の目の領域におけるグリッドマスク６５の拡大細部６７を示している。図６ｂに示すグリッドマスク６５のグリッド角は４２°である。グリッドマスク６５は、ＲＧＢ色空間における原色の緑に対応している。図６ｃは、肖像画の目の領域におけるグリッドマスク６６の拡大細部６７をさらに示している。図６ｃに示すグリッドマスク６６のグリッド角は１０°である。グリッドマスク６６は、ＲＧＢ色空間における原色の赤に対応している。図６ａ〜図６ｃに示すように、グリッドマスク６４，６５，６６のドットグリッド６８は、例えば、対応するグリッド角において異なる。本実施例では、望ましくないモアレ効果を回避するように、グリッドマスク６４，６５，６６のグリッドパラメータ、特に、グリッド角、グリッド幅、及び／又は解像度を選択することが有利である。
【００９６】
図７ａ〜図７ｃは、セキュリティエレメント１の上面図を概略的に示している。前述したように、セキュリティエレメント１は、グリッドマスク６４，６５，６６及びその後のエンボスダイによるエンボス加工により、セキュリティエレメント１の層に形成される。図７ａに示すように、セキュリティエレメント１は、原色である赤、緑及び青を含む多色の肖像画を示している。したがって、セキュリティエレメントは、観察者に実際の色彩で表される。図７ｂは、図７ａに示したセキュリティエレメント１を拡大して示している。図７ｂから分かるように、セキュリティエレメント１は、グリッドマスク６４，６５，６６の３つの露光の重ね合わせにより形成されるドットラスタリングを有する。図７ｃは、図７ａに示したセキュリティエレメント１をさらに拡大して示している。前述したように、個々のドットパターン７０，７１，７２による３つの露光のホログラフィックの重ね合わせが認識される。
【００９７】
図８ａ〜図８ｃは、セキュリティエレメント１の上面を概略的に示している。図８ａ，８ｂに示すセキュリティエレメント１は、区域８１において、第１の微細構造を有している。第１の微細構造は、第１の光学的知覚を観察者に提供するように成形されている。第１の光学的知覚は、オブジェクト８２の空間的又は三次元的な知覚に対応している。ここで、オブジェクト８２は肖像画として実装されている。さらに、区域８０において、セキュリティエレメント１は第２の微細構造を有している。第２の微細構造は、第２の光学的知覚を観察者に提供するように成形されている。第２の光学的知覚は、オブジェクト８２の多色表現、特に、実際の色彩での多色表現に対応している。ここで、オブジェクト８２の第１の光学的知覚及び第２の光学的知覚は、観察者によって同時に知覚される。このようにして、２つの回折光学的効果が観察者に対して可視化される。第１の回折光学的効果は、区域８１の第１の微細構造により実現され、第２の回折光学的効果は、区域８０の第２の微細構造により実現される。
【００９８】
図８ｂは、図８ａを拡大して示し、図８ｃは、図８ｂをさらに拡大して示している。
【００９９】
図８ｃに示す区域８１における第１の微細構造は、図２ａ〜図２ｆに図示した方法により形成された微細構造である。第１の微細構造を含む区域８１は、ライングリッドに従って配置されており、このライングリッドは、例えば、４０μｍのライン幅、及び８０μｍのグリッド幅を有する。このように、区域８１における第１の微細構造により、オブジェクト８２の空間的又は三次元的な印象が観察者にもたらされる。区域８１における第１の微細構造は、例えば、前述した「直接描画」法によって、セキュリティエレメント１の層に導入される。
【０１００】
区域８０における第二微細構造は、図４〜図７に示した微細構造に対応する微細構造である。第二の微細構造を含む区域８０は、４０μｍのライン幅、及び８０μｍのグリッド幅を有するライングリッドに従って配置されている。したがって、区域８０における第２の微細構造により、特に実際の色彩で、オブジェクト８２の多色表現が観察者に提供される。区域８０における第２の微細構造は、例えば、対応するように成形されたエンボスダイによってセキュリティエレメント１の層にエンボス加工される。
【０１０１】
区域８０，８１は、いわゆるインターレースによって、互いにグリッド化される（４０μｍのライン幅、及び８０μｍのグリッド幅）。すなわち、各々の場合において、一つの区域８０と一つの区域８１とが互いに隣接しており、交互に配置されている。
【０１０２】
各々の場合において、グリッド幅は人間の裸眼の解像能力以下である、二つの高解像度の区域８０，８１のインターレースを介して、区域８０，８１における光学的効果が組み合わされて同時に知覚される。これにより、図８ａに示すように、組み合わせた状態で、肖像画の本来の色彩を有する空間的かつ三次元的な印象が提供される。この組み合わせは、実際の彫刻の複製の自然な印象に非常に近似しているため、人間である観察者は光学的効果を極めて現実的なものとして知覚し得る。
【０１０３】
図８ａ〜図８ｃにおいて、オブジェクト８２を形成する区域８０，８１からなる全表面積において、第１の微細構造を含む区域８１が占める割合は５０％である。しかし、区域８０，８１からなる全表面積における区域８１の割合を１０％〜９０％としてもよい。これに対応して、区域８０，８１からなる総表面積における区域８０の割合は９０％〜１０％となる。
【０１０４】
さらに、特に所定の変動範囲内でグリッド幅を異ならせてもよい。
【０１０５】
図９は、転写フィルム９０を示している。転写フィルム９０上にセキュリティエレメント１が設けられている場合に有利である。これにより、セキュリティエレメント１をエンボス加工によってセキュリティ文書２に適用することができる。このような転写フィルム９０は、本発明による少なくとも１つのセキュリティエレメント１を有する。少なくとも１つのセキュリティエレメント１は、転写フィルム９０のキャリアフィルム９１上に配置され、キャリアフィルム９１から取り除くことができる。
【０１０６】
エンボス加工後にキャリアフィルム９１からセキュリティエレメント１を取り除くことができるように、転写フィルム３のキャリアフィルム９１に対して、通常、剥離層９２が設けられている。好ましくは、キャリアフィルム９１が設けられている剥離層９２の側と反対の側には、保護ワニス層として形成された任意の透明保護層９３と、さらにセキュリティエレメント１の残りの層と、が設けられている。
【０１０７】
同様に、セキュリティエレメント１を積層フィルムの形態で適用してもよい。この場合、キャリアフィルム９１はセキュリティエレメント１上に残存し、セキュリティエレメント１とキャリアフィルム９１との間には剥離層９２は設けられない。
【０１０８】
さらに、セキュリティエレメント１は、特に、コールドメルト接着剤又はホットメルト接着剤から形成された接着層９４を有していてもよい。
【符号の説明】
【０１０９】
１  セキュリティエレメント
２  セキュリティ文書
３  幾何学的図形
４  セキュリティスレッド
５  観察者
６，７，８  ｘ座標軸、ｙ座標軸、ｚ座標軸
２０  二次元画像
２１  三次元オブジェクト
２２  観察者
２３  光学的知覚
３０  球状プロファイル
３１，４３，５３  構造高さ
３２  基準面
３５  入射光
３６  方向
３７  表面プロファイル
３４，３５  材料層
４０  連続的表面レリーフを有する微細構造
４１，４２  側面
４４  微細構造
４５，４６  層
４０  バイナリ表面レリーフを有する微細構造
５１  格子バー
５２  格子溝
６０  造形的表現
６１，６２，６３  色分解
６４，６５，６６  グリッドマスク
６７  細部
６８  ドットグリッド
８０，８１  区域
８２  オブジェクト
９０  転写フィルム
９１  キャリアフィルム
９２  剥離層
９３  保護層
９４  接着層
【図１ａ】
2018504634.tif 000003
【図１ｂ】
2018504634.tif 000004
【図２ａ−２ｆ】
2018504634.tif 000005
【図３ａ】
2018504634.tif 000006
【図３ｂ】
2018504634.tif 000007
【図３ｃ】
2018504634.tif 000008
【図４ａ−４ｃ】
2018504634.tif 000009
【図５ａ−５ｃ】
2018504634.tif 000010
【図６ａ】
2018504634.tif 000011
【図６ｂ】
2018504634.tif 000012
【図６ｃ】
2018504634.tif 000013
【図７ａ】
2018504634.tif 000014
【図７ｂ】
2018504634.tif 000015
【図７ｃ】
2018504634.tif 000016
【図８ａ】
2018504634.tif 000017
【図８ｂ】
2018504634.tif 000018
【図８ｃ】
2018504634.tif 000019
【図９】
2018504634.tif 000020
【国際調査報告】
2018504634.tif 000021
2018504634.tif 000022
2018504634.tif 000023
2018504634.tif 000024
2018504634.tif 000025
2018504634.tif 000026
2018504634.tif 000027
2018504634.tif 000028
2018504634.tif 000029
2018504634.tif 000030